(57)【要約】【課題】並列接続されたリアクタのいずれか一方の断線等による開放を１つのＣＴで検出し、電流集中によるもう一方のリアクタの異常発熱を防止することのできる空気調和装置を提供する。【解決手段】交流検出手段４に、第１のリアクタ１と第２のリアクタ２の電流が互いに打ち消しあう方向で入力することで、いずれか一方のリアクタが開放状態になった場合に、交流検出手段４は従来の過電流設定値と同じ設定値で開放状態を検出することが可能になる。【選択図】図１
2006148992.tif 000002
【特許請求の範囲】
【請求項１】
同一の定格インダクタンスを有する第一のリアクタと第二のリアクタが、並列に接続されて交流電源とブリッジ整流回路の間に設けられており、前記ブリッジ整流回路の直流出力端にはインバータ回路が構成され、前記インバータ回路を制御する負荷制御手段と、ＣＴにより前記交流電源を流れる交流電流を検出する交流電流検出手段と、所定の過電流設定値と所定の低電流設定値を記憶する記憶手段と、前記交流電流検出手段による検出結果と前記記憶手段に記憶された過電流設定値もしくは低電流設定値とを比較する比較手段とを備え、前記ＣＴには前記交流電源からの総合入力電流を入力するとともに、前記第一のリアクタを流れる電流が前記入力電流と同相に、前記第二のリアクタを流れる電流が前記入力電流と逆相に入力され、前記インバータ回路が動作中に前記比較手段による比較結果が一致した場合に、前記負荷制御手段によりインバータ回路を停止する制御を行うことを特徴とする空気調和装置。
【発明の詳細な説明】
【技術分野】
【０００１】
本発明は、並列接続されたリアクタを有する空気調和装置における、片方のリアクタの断線故障時の検出方法に関するものである。
【背景技術】
【０００２】
従来の空気調和装置としては、図２に示すようなものがある（例えば、特許文献１参照）。
【０００３】
図２において、交流電源３から並列接続された同一の定格インダクタンスを有するリアクタ１およびリアクタ２を介して４個のダイオードにより形成されたブリッジ整流回路５へ接続され、ブリッジ整流回路５の直流出力端には平滑コンデンサ６およびインバータ回路１０が接続されている。４はＣＴによる交流検出手段であり、ブリッジ整流回路５への入力電流を検出する。７は所定の過電流検出設定値を記憶する記憶手段、８は交流検出手段４による検出結果と記憶手段７に記憶された過電流検出設定値および低電流設定値を比較する比較手段であり、比較結果はインバータ回路１０を制御する負荷制御手段９に入力される。
【０００４】
比較手段８により、交流検出手段４による検出結果が記憶手段７に記憶された過電流設定値を上回っていると検出された場合、負荷制御手段９はインバータ回路１０を停止させることで、空気調和装置への入力過電流を防止する。
【０００５】
また、比較手段８により、交流検出手段４による検出結果が記憶手段７に記憶された低電流設定値を下回る場合は、交流検出手段４の異常と判断して、同様に負荷制御手段９はインバータ回路１０を停止させる。
【特許文献１】特開２００１−２０４１７３号公報
【発明の開示】
【発明が解決しようとする課題】
【０００６】
しかしながら、前記従来の構成では、並列に接続されたリアクタのどちらか一方が、断線などによる開放状態となった場合、接続されている別の一方のリアクタに電流が全て流れるにも関わらず、交流検出手段４の検出結果には影響を及ぼさない。このため、記憶手段７に記憶された過電流設定値まで電流が流れた場合、リアクタの発熱量は電流の二乗に比例するため四倍となり、この異常発熱を防止するためにリアクタの線径アップ等の巨大化が必要になるという課題が生じる。
【０００７】
また、これを防止するために図３に示すように、交流電流検出手段４ａおよび４ｂにより、それぞれリアクタ１およびリアクタ２を流れる電流を検出し、比較手段８に入力する構成が考えられる。この場合、記憶手段７に記憶される過電流設定値を、交流電源３の出力過電流設定値の半分にすることで、リアクタ１もしくはリアクタ２のどちらか一方が開放状態になった場合においても、リアクタの異常発熱を防止することが可能になる。
【０００８】
しかしながらこの場合、交流電流検出手段が２個必要になりコストアップを招くとともに、リアクタを並列接続で構成する場合とそうでない場合において、記憶手段７に記憶する過電流設定値が異なるため、機器の共用化が困難になるという別の課題が生じる。
【０００９】
本発明は、前記従来の課題を解決するもので、簡易な構成で、並列接続されたリアクタのどちらか一方が開放状態になった場合におけるもう一方のリアクタの異常発熱を防止す
るとともに、リアクタを並列接続で構成しない場合との機器の共用化を容易にすることを可能にした空気調和装置を提供することを目的とする。
【課題を解決するための手段】
【００１０】
前記従来の課題を解決するために本発明の空気調和装置は、ＣＴをブリッジ整流回路に挿入することで交流電流を検出するとともに、二個のリアクタを流れる交流電流が互いに打ち消しあう方向になるようにＣＴに通すようにしたものである。
【００１１】
これによって、通常リアクタを流れる交流電流はＣＴに対して互いに打ち消しあう方向であるため、通常時はＣＴによる交流電流の検出結果には影響を与えないとともに、リアクタのいずれか一方が開放状態になった場合は、ＣＴに対して、ブリッジ整流回路の入力電流にリアクタを流れる電流が重畳されるため、交流電流の出力結果に影響を及ぼすことになり、過電流もしくは低電流と判断することでリアクタへの電流集中による異常発熱を防止することが可能になる。また、通常時の交流電流の検出結果は、従来の構成における交流電流の検出結果と同じであるため、リアクタを並列接続する場合としない場合においての、機器の共用化を容易にすることが可能になる。
【発明の効果】
【００１２】
本発明の空気調和装置は、並列接続されたリアクタの一方が開放状態となった場合において、ＣＴによる交流電流検出手段を利用して異常発熱を防止することができるとともに、リアクタを並列接続しない機器との共用化を容易にすることができる。
【発明を実施するための最良の形態】
【００１３】
本発明は、ブリッジ整流回路への入力交流電流を検出するＣＴに、並列接続したリアクタのそれぞれの電流が打ち消しあう方向で入力することで、通常時はブリッジ整流回路への入力交流電流のみを検出させ、リアクタのいずれか一方が断線した場合においてはリアクタを流れる電流がＣＴの検出結果に影響を及ぼすようになるため、従来の構成における入力交流電流の検出結果と同じ検出結果を得る構成にしながら、リアクタ断線時の電流集中による異常発熱を防止することができる。
【００１４】
以下、本発明の実施の形態について、図面を参照しながら説明する。なお、この実施の形態によって本発明が限定されるものではない。
【００１５】
（実施の形態１）
図１は、本発明の空気調和装置の構成図を示すものである。図１において、図２と同じ構成要素については同じ符号を用い、説明を省略する。
【００１６】
交流検出手段４のＣＴには、ブリッジ整流回路５への入力電流Ｉが流れる回路が入力されている。また、同様に、リアクタ１を流れる電流Ｉ１と、リアクタ２を流れる電流Ｉ２が互いに打ち消しあう方向になるように、逆向きにＣＴに入力されている。
【００１７】
通常時は、リアクタ１とリアクタ２が略同一リアクタンス値であるため、Ｉ１＝Ｉ２となり、交流検出手段４のＣＴに対して互いに打ち消しあうため、交流検出手段４の出力は入力電流Ｉのみとなる。
【００１８】
一方、リアクタ１が断線等による開放状態となった場合、リアクタ２を流れる電流Ｉ２は入力電流Ｉと等しくなり、また、交流検出手段４のＣＴに対して、電流が流れる向きとしては入力電流Ｉと同じであるため、交流検出手段４の出力結果は、入力電流Ｉの二倍に等しくなる。ここで、記憶手段７に記憶された過電流設定値まで電流が流れる場合、リアクタＩ２を流れる最大の電流は、過電流設定値の半分の値となるため、リアクタ１が断線
しない場合と同じになり、リアクタ２への電流集中による異常発熱を防止することができる。
【００１９】
また、リアクタ２が開放状態になった場合、同様にリアクタ１を流れる電流は入力電流Ｉと等しくなるが、入力電流Ｉとリアクタ１を流れる電流Ｉ１は、交流検出手段４のＣＴに対して逆向きに入力されるため、交流検出手段４の出力結果は常に０となる。よって交流検出手段４の検出結果は、記憶手段７に記憶された低電流設定値を下回るため、交流検出手段４の異常と判断して、インバータ回路１０を停止させる。または直ぐに停止させずに出力を下げて、リアクタ２が過熱しない範囲で運転を継続してもよい。
【００２０】
以上のように、本実施の形態においては交流検出手段４のＣＴに、リアクタ１およびリアクタ２の電流が互いに打ち消しあう方向で入力されることで、リアクタのいずれか一方が断線した場合においても、電流集中による異常発熱を防止することができると共に、従来と同一の過電流設定値および低電流設定値を使用することができることから、リアクタを並列接続で構成しない機器との共用化を容易にすることができる。
【産業上の利用可能性】
【００２１】
以上のように、本発明にかかる電源装置は、並列接続されたリアクタのいずれか一方の断線時における、もう一方のリアクタへの電流集中による異常発熱を防止することが可能となるので、リアクタを並列接続で使用する空気調和装置の室外機などに適用することができる。
【図面の簡単な説明】
【００２２】
【図１】本発明の空気調和装置の構成図
【図２】従来の空気調和装置の構成図
【図３】従来の空気調和装置の他の構成図
【符号の説明】
【００２３】
１、２  リアクタ
３  交流電源
４  交流検出手段
５  ブリッジ整流回路
６  平滑コンデンサ
７  記憶手段
８  比較手段
９  負荷制御手段
１０  インバータ回路
１１  圧縮機
Ｉ  ブリッジ整流回路５の入力電流
Ｉ１  リアクタ１を流れる電流
Ｉ２  リアクタ２を流れる電流
【図１】
2006148992.tif 000003
【図２】
2006148992.tif 000004
【図３】
2006148992.tif 000005